(57)【要約】      （修正有）【課題】補正誤差を生じないキャリブレーションを可能とするアクティブアンテナシステムを提供する。【解決手段】アクティブアンテナシステム１０は、複数のアンテナ１１と、アンテナ１１に接続され送信信号線と受信信号線を切替えて時分割複信を行うスイッチ１２と、送信信号線と受信信号線に接続される送受信機１３と、送信信号線の各々に接続される１つのキャリブレーション用送信機１４と、受信信号線の各々に接続される１つのキャリブレーション用受信機１５と、時分割複信の受信時間に、キャリブレーション用送信機１４が発信して前記送受信機１３が受信する信号に基づいて送受信機１３の各々の受信キャリブレーションを実行し、受信から送信への遷移時間中に送受信機１３が発信して、キャリブレーション用受信機１５が受信する信号に基づいて送受信機１３の各々の送信キャリブレーションを実行する制御部１６とを備える。【選択図】図１
2019029934.tif 000002
【特許請求の範囲】
【請求項１】
複数のアンテナと、
前記アンテナに接続され送信信号線と受信信号線を切替えて時分割複信を行うスイッチと、
前記送信信号線と前記受信信号線に接続される送受信機と、
前記送信信号線の各々に接続される１つのキャリブレーション用送信機と、
前記受信信号線の各々に接続される１つのキャリブレーション用受信機と、
前記時分割複信の受信時間に、前記キャリブレーション用送信機が発信して前記送受信機が受信する信号に基づいて前記送受信機の各々の受信キャリブレーションを実行し、受信から送信への遷移時間中に前記送受信機が発信して前記キャリブレーション用受信機が受信する信号に基づいて前記送受信機の各々の送信キャリブレーションを実行する制御部とを備えることを特徴とするアクティブアンテナシステム。
【請求項２】
前記時分割複信は、３ＧＰＰが定めるＬＴＥ−ＴＤＤシステムであり、
前記受信キャリブレーションの測定時間は、Transmitter ON periodの開始時刻に対してUL-DL Frame Timingだけ前の時刻から前記送信キャリブレーションの測定開始時刻の間であり、
前記受信から送信への遷移時間中に行う前記送信キャリブレーションの測定時間は、前記Transmitter transient period内であることを特徴とする請求項１に記載のアクティブアンテナシステム。
【請求項３】
前記アクティブアンテナシステムは、前記送受信機が接続される送受信ベースバンド部を更に備え、
前記送受信機の前記受信キャリブレーションと前記送受信機の前記送信キャリブレーションは、前記送受信ベースバンド部に対して実行されることを特徴とする請求項１または請求項２に記載のアクティブアンテナシステム。
【請求項４】
請求項１乃至請求項３のいずれかに記載のアクティブアンテナシステムを有することを特徴とする通信機。
【請求項５】
時分割複信の受信時間に、キャリブレーション用送信機が発信して複数の送受信機が受信する信号に基づいて前記送受信機の各々の受信キャリブレーションを実行し、受信から送信への遷移時間中に前記送受信機が発信してキャリブレーション用受信機が受信する信号に基づいて前記送受信機の各々の送信キャリブレーションを実行することを特徴とするアクティブアンテナシステムのキャリブレーション方法。
【請求項６】
前記時分割複信は、３ＧＰＰが定めるＬＴＥ−ＴＤＤシステムであり、
前記受信キャリブレーションの測定時間は、Transmitter ON periodの開始時刻に対してUL-DL Frame Timingだけ前の時刻から前記送信キャリブレーションの測定開始時刻の間であり、
前記受信から送信への遷移時間中に行う前記送信キャリブレーションの測定時間は、前記Transmitter transient period内であることを特徴とする請求項５に記載のアクティブアンテナシステムのキャリブレーション方法。
【請求項７】
前記送受信機の前記受信キャリブレーションと前記送受信機の前記送信キャリブレーションは、前記送受信機に接続される送受信ベースバンド部に対して実行されることを特徴とする請求項５または請求項６に記載のアクティブアンテナシステムのキャリブレーション方法。
【請求項８】
時分割複信の受信時間に、複数のアンテナが受信する信号に基づいて前記アンテナのそれぞれに１つずつ接続される送受信機の受信キャリブレーションを実行し、受信から送信への遷移時間中に前記アンテナが送信する信号に基づいて前記送受信機の送信キャリブレーションを実行することをコンピュータに実行させるプログラム。
【請求項９】
前記時分割複信は、３ＧＰＰが定めるＬＴＥ−ＴＤＤシステムであり、
前記受信キャリブレーションの測定時間は、Transmitter ON periodの開始時刻に対してUL-DL Frame Timingだけ前の時刻から前記送信キャリブレーションの測定開始時刻の間であり、
前記受信から送信への遷移時間中に行う前記送信キャリブレーションの測定時間は、前記Transmitter transient period内であることを特徴とする請求項８に記載のプログラム。
【請求項１０】
前記送受信機の前記受信キャリブレーションと前記送受信機の前記送信キャリブレーションは、前記送受信機に接続される送受信ベースバンド部に対して実行されることを特徴とする請求項８または請求項９に記載のプログラム。
【発明の詳細な説明】
【技術分野】
【０００１】
本発明は、アクティブアンテナシステム、通信機、アクティブアンテナシステムのキャリブレーション方法、およびプログラムに関するものである。
【背景技術】
【０００２】
3GPP（Third Generation Partnership Project）で策定中の第５世代移動通信システム（5G：Fifth Generation）では、ビームフォーミングによるMassive-MIMO機能を装備したアクティブアンテナシステムの利用が想定されている。（ビームフォーミング（Beamforming）、MIMO(multiple-input and multiple-output)、アクティブアンテナシステム（Active Antenna System：AAS））。本技術の利用は、移動通信および無線通信の更なる大容量化・高速化・低遅延化の要求の実現を意図している。
【０００３】
更に、本技術では、AASに対して各端末（User Equipment：UE）から送信されるUL（Up Link） Sounding情報に基づいて、DL（Down Link）方向のUEに対してアンテナの指向性を向ける、ビームフォーミングを行う事をシステム的な特徴としている。（時分割複信（Time Division Duplex：TDD））。このビームフォーミングでは、AASと各UE間の、ULとDLそれぞれの空間伝搬特性の可逆性（DL/UL Reciprocity）を利用している。
【０００４】
AASに対して、正確なビームフォーミング性能やビームフォーミング制御性を確立する為には、複数のアンテナの各々に接続された送受信機の振幅および位相の周波数特性のばらつきを同一化補償する必要がある。その為に、送受信機キャリブレーション（calibration：CAL）が必須となる。
【０００５】
ここで、複数送信機の送信信号の振幅と位相の周波数特性を同一化するCAL測定と補償をDL CALと呼び、受信機の受信信号の振幅と位相の周波数特性を同一化するCAL測定と補償はUL CALと称する。
【０００６】
一般的なAASの構成と、UL/DL CAL測定の方法を図６乃至図８を参照して説明する。
【０００７】
図６は、一般的なAASである。
【０００８】
AAS２００は、主に送受信機（TRX）４２と送受信ベースバンド部（TRX-baseband）４３によって構成される。
【０００９】
アンテナ４１には、送信と受信を切替えるスイッチ４４が接続され、スイッチ４４には送信と受信の別々の信号線が接続され、信号線はアンプ４５を介して送受信機４２に接続されている。送受信機４２は送受信ベースバンド部４３に送信と受信の信号線で接続され、送受信ベースバンド部４３は光トランシーバなどのインターフェース４９に接続される。そして、AAS２００は、インターフェース４９を介して外部のビームフォーミング機能内蔵Digital Part２０１と接続される。
【００１０】
また、アンテナ４１とスイッチ４４を接続する信号線から分岐した信号線は、キャリブレーションネットワーク部４６（以下、CAL Network部４６）に接続されている。CAL Network部４６は、分配器、もしくはスイッチで構成されたCAL信号伝送経路である。CAL Network部４６は送信受信を切替えるスイッチ４７に接続される。そして、切替えスイッチ４７は、CAL送受信機４８に接続される。CAL送受信機４８は、UL CAL用の信号を送受信機４２へ送出する。また、CAL送受信機４８は、送受信機４２がDL CAL用に送出した信号を受信して、DL CAL用信号を送受信ベースバンド部４３に送出する。
【００１１】
次に、図７を参照して、一般的なAAS２００がキャリブレーションを実行する際の動作を説明する。
【００１２】
尚、キャリブレーションにあたって、振幅、位相の補正値の求め方については、本発明の目的ではないため、説明を省略する。
【００１３】
図７は、3GPPで規定するＬＴＥ  ＴＤＤ（Long Term Evolution  Time Division Duplex）システムのフレームフォーマットの例を示し、横軸は時間を示している。そして、上４段はAAS２００の動作を説明するチャートで、下４段は端末（UE）の動作を説明するチャートである。
【００１４】
また、図８は理解のために、図７のフレームフォーマットで示したDL CALとUL CALの様子を、横軸を時間、縦軸をAASの送受信機４２の送信出力として示したものである。
【００１５】
図７において、「DL Timing」は、AASのSpecial Sub Frame（SSF、DL SubframeからUL Subframe間に配置された１Subframe）とその前後のフレームの様子を示し、AASのDLタイミングを灰色で示している。
【００１６】
AASの「TX ON/OFF」は、送受信機４２の送信機が動作している時間を灰色で示している。
【００１７】
「UL Timing」は、UEのSSFとその前後のフレームの様子を示し、UEのULタイミングを灰色で示している。
【００１８】
前述のDLタイミングのフレームフォーマットと、ULタイミングのフレームフォーマットを比較すると、DLタイミングはULタイミングより624×Tsだけ遅れている。ここで、Tsは、LTEのフレームの大きさを表現する際の基本単位で、1/(30.72MHz)＝約32.6nsである。従って、624×Tsは約20.3μsである。このDLのフレームタイミングとULのフレームタイミングのずれについては、3GPP TS36.211 , 8.Uplink-downlink frame timingに記載されている。この、フレームタイミングのずれは、AASを含む基地局と端末各々の送受信機のON/OFFに際して、物理的に必要である。即ち、送受信号前の送受信機の立ち上げと、送受信号後の送受信機の立ち下げを、このずれ時間の中で行う様に規定されている。
【００１９】
AASの「RX ON/OFF」は、送受信機４２の受信機が動作している時間を灰色で示している。
【００２０】
UEのチャートは、AASのチャートに準じてUEの動作を示したものであるので、説明を省略する。
【００２１】
図７の様に一般的なAAS２００が動作する状況で、DLキャリブレーションはDLタイミングのDwPTS（Downlink Pilot Time Slot）後のGP（Guard Perid）に実行する。また、ULキャリブレーションはULタイミングのUｐPTS（Uplink Pilot Time Slot）の直前のGPの間に実行する。但し、DLキャリブレーションとULキャリブレーションに割当てられる時間は、1Subframe長のSpecial Sub Frame（SSF）からDwPTS長とUpPTS長とUplink-downlink frame timingの20.3μsecを差し引いた短区間の時間長となる。その為、DLキャリブレーション、およびULキャリブレーションの実施については、高速性が求められる事となる。
【００２２】
尚、キャリブレーションは、通信中は逐次行われて更新される。
【００２３】
複数のアンテナ素子を用いた通信システムのキャリブレーションについて、特許文献１に記載がある。
【先行技術文献】
【特許文献】
【００２４】
【特許文献１】国際公開第２０１６／１６３３７５号
【発明の概要】
【発明が解決しようとする課題】
【００２５】
最近の通信容量の増大に伴い、DLおよびULのデータ信号区間は長く確保される様になってきており、Special SubframeのGPは短くなる傾向にある。また、3GPPで検討中の5Gの規格では、OFDMのSub Carrier間隔を現行LTEの15kHzの2^n倍として、OFDM Symbol長を1/(2^n)に短縮化するScalable OFDMを用いる事で大容量化、および低遅延を図ることが予定されている。ここで、2^nは、2のｎ乗を表す。この場合も、Frame長、およびDL/UL Subframe長が短縮化されると共に、Special SubframeのGP長も短くなる。
【００２６】
GPが短くなると、DLキャリブレーションからULキャリブレーションに移行するまでの時間が短くなり、TX ONでDL CAL信号を測定する時間帯と、RX ONでUL CAL信号を測定する時間帯が接近する。
【００２７】
送受信機４２は、DL CAL信号の送出を終了しても、暫くの間TX_ONとなっている。ここで、送受信機４２が直接変調方式を採用している場合、TX_ONが継続されていると、送信ローカルオシレータ（Local Oscillator：LO）のリーク（LO leak）波が発生している。この送信LOリーク波は、送受信機４２の送信系から受信系へわずかながら回り込む。そして、TX ONでDL CAL信号を測定する時間帯と、RX ONでUL CAL信号を測定する時間帯が接近していると、送信LOリーク波は、RX_ONとなっている送受信機４２の受信系において周波数帯域の中心で受信される。
【００２８】
受信機がダイレクトコンバージョン（Direct Conversion）方式である場合は、周波数帯域の中心に位置する送信LOリーク波は、ベースバンド帯域ではゼロ周波数、即ちDC（Direct Current；直流）オフセットとしてベースバンドIQ領域に出現する。（オフセット：offset）。この様に、送信LOリークによるDC Offsetが受信ベースバンドに出現してしまった場合は、受信機の受信DC Offset補償機能が働いてしまう。その結果、受信機は、本来の補償対象（受信機自体でベースバンドに発生するDC Offset）ではない、送信LOリーク波に起因するDC成分を補償しようとするため、過補償を行ってしまう事になる。
【００２９】
この様にして、受信機側として意図していない受信DC offset過補償が一旦発生してしまうと、その後の送信OFFによる受信設定下に於いて次の現象が起こる。即ち、送信LOリーク起因の受信DC Offsetが消失するが、DC Offset過補償状態から受信機本来のDC Offset補償値に収束する迄の時間、受信IQベースバンドにDC Offset過渡応答が発生してしまう。そのため、UL CAL信号存在時間帯まで、同過渡応答が収斂しない場合は、UL CAL信号にDC Offsetが重畳してしまう事で、同UL CAL信号の振幅位相状態が本来の特性から変化してしまう。それに伴い、これらの誤差分を含んだままで、UL CAL補正を行ってしまった場合、送受信機４２のULキャリブレーションについては、補正誤差が生じてしまう事となる。
【００３０】
更に、送受信機４２が、このULキャリブレーションの補正誤差があったままで、UL Soundingを行い、そのUL伝搬情報を元にDL BeamformingおよびNullingを行った場合は、DL BeamformingとNulling性能が期待状態から劣化する。（Nullingとは、MU-MIMO・空間多重時に他端末方向の放射パターンをNull化すること。）そのため、MU-MIMO・空間多重時のSINRが劣化し、各端末へのスループット劣化とセル全体のスループット性能の劣化を招く事となる。
【００３１】
本発明の目的は、上述した課題を鑑み、補正誤差を生じないキャリブレーションを可能とするアクティブアンテナシステム、通信機、アクティブアンテナシステムのキャリブレーション方法、およびプログラムを提供することにある。
【課題を解決するための手段】
【００３２】
上記の目的を達成するために、本発明のアクティブアンテナシステムは、複数のアンテナと、前記アンテナに接続され送信信号線と受信信号線を切替えて時分割複信を行うスイッチと、前記送信信号線と前記受信信号線に接続される送受信機と、前記送信信号線の各々に接続される１つのキャリブレーション用送信機と、前記受信信号線の各々に接続される１つのキャリブレーション用受信機と、前記時分割複信の受信時間に、前記キャリブレーション用送信機が発信して前記送受信機が受信する信号に基づいて前記送受信機の各々の受信キャリブレーションを実行し、受信から送信への遷移時間中に前記送受信機が発信して前記キャリブレーション用受信機が受信する信号に基づいて前記送受信機の各々の送信キャリブレーションを実行する制御部とを備える。
【００３３】
上記の目的を達成するために、本発明の通信機は、複数のアンテナと、前記アンテナに接続され送信信号線と受信信号線を切替えて時分割複信を行うスイッチと、前記送信信号線と前記受信信号線に接続される送受信機と、前記送信信号線の各々に接続される１つのキャリブレーション用送信機と、前記受信信号線の各々に接続される１つのキャリブレーション用受信機と、前記時分割複信の受信時間に、前記キャリブレーション用送信機が発信して前記送受信機が受信する信号に基づいて前記送受信機の各々の受信キャリブレーションを実行し、受信から送信への遷移時間中に前記送受信機が発信して前記キャリブレーション用受信機が受信する信号に基づいて前記送受信機の各々の送信キャリブレーションを実行する制御部とを有するアクティブアンテナシステムを備える。
【００３４】
上記の目的を達成するために、本発明のアクティブアンテナシステムのキャリブレーション方法は、時分割複信の受信時間に、キャリブレーション用送信機が発信して複数の送受信機が受信する信号に基づいて前記送受信機の各々の受信キャリブレーションを実行し、受信から送信への遷移時間中に前記送受信機が発信してキャリブレーション用受信機が受信する信号に基づいて前記送受信機の各々の送信キャリブレーションを実行する。
【００３５】
上記の目的を達成するために、本発明のプログラムは、時分割複信の受信時間に、複数のアンテナが受信する信号に基づいて前記アンテナのそれぞれに１つずつ接続される送受信機の受信キャリブレーションを実行し、受信から送信への遷移時間中に前記アンテナが送信する信号に基づいて前記送受信機の送信キャリブレーションを実行することをコンピュータに実行させる。
【発明の効果】
【００３６】
本発明によれば、アクティブアンテナシステム、通信機、アクティブアンテナシステムのキャリブレーション方法、およびプログラムは、補正誤差を生じないキャリブレーションを実行可能になる。
【図面の簡単な説明】
【００３７】
【図１】第１の実施形態の構成例を示す図である。
【図２】第２の実施形態の構成例を示す図である。
【図３】第２の実施形態の動作を説明する図である。
【図４】第２の実施形態の動作を説明する図である。
【図５】第２の実施形態の動作を説明する図である。
【図６】関連技術の構成例を示す図である。
【図７】関連技術の動作を説明する図である。
【図８】関連技術の動作を説明する図である。
【発明を実施するための形態】
【００３８】
［第１の実施形態］
次に、本発明の実施の形態について図１を参照して詳細に説明する。
【００３９】
図１は、本実施形態のアクティブアンテナシステムの構成例である。
【００４０】
本実施形態のアクティブアンテナシステム１０は、複数のアンテナ１１と、前記アンテナに接続され送信信号線と受信信号線を切替えて時分割複信を行うスイッチ１２と、前記送信信号線と前記受信信号線に接続される送受信機１３を備える。また、アクティブアンテナシステム１０は、前記送信信号線の各々に接続される１つのキャリブレーション用送信機１４と、前記受信信号線の各々に接続される１つのキャリブレーション用受信機１５を備える。更に、アクティブアンテナシステム２０は、制御部１６を備える。そして、制御部１６は、前記時分割複信の受信時間に、前記キャリブレーション用送信機１４が発信して前記送受信機１３が受信する信号に基づいて前記送受信機１３の各々の受信キャリブレーションを実行する。また、制御部１６は、受信から送信への遷移時間中に前記送受信機１３が発信して前記キャリブレーション用受信機１５が受信する信号に基づいて前記送受信機１３の各々の送信キャリブレーションを実行する。
【００４１】
この様にすることで、本実施形態のアクティブアンテナシステム１０は、キャリブレーションの際に送信機のリーク波が混入しないので、補正誤差を生じないキャリブレーションを実行可能になる。
［第２の実施形態］
次に、第２の実施形態について図２乃至図８を参照して説明する。
［構成の説明］
図２は、第２の実施形態のAAS１００の構成例である。
【００４２】
複数のアンテナ２１には、TDDを実現するために送信と受信を切替えるスイッチ２４が接続されている。
【００４３】
スイッチ２４には送信と受信の別々の信号線が接続され、信号線はアンプ２５を介して送受信機２２に接続されている。
【００４４】
送受信機２２は、送信と受信のそれぞれの回路を含む送受信機であり、直交変復調により、高周波とベースバンドの変換を行って、送受信ベースバンド部２３と信号をやりとりする。
【００４５】
送受信機２２は送受信ベースバンド部２３に送信と受信の別々の信号線で接続されている。送受信ベースバンド部２３は、ベースバンドで送受信の通信処理を行う。
【００４６】
送信CAL Network部（CAL-TX Network）２６は、複数のスイッチ２４の送信信号線に接続される。また、受信CAL Network部（CAL-RX Network）２７は、スイッチ２４の受信信号線に接続される。送信CAL Network部（CAL-TX Network）２６、および受信CAL Network部（CAL-RX Network）２７は、電力分配器、またはスイッチで実現されてもよい。
【００４７】
送信CAL Network部（CAL-TX Network）２６は、CAL受信機２８に接続される。CAL受信機）２８は、DL CALを行うために送受信機２２が発生するキャリブレーション用のDL信号を受信して、更に直交復調を行って高周波をベースバンド信号に変換して、送受信ベースバンド部２３に送出する受信機である。
【００４８】
受信CAL Network部（CAL-RX Network）２７は、CAL送信機２９に接続される。CAL送信機２９は、送受信ベースバンド部２３からの信号を直行変調を行って高周波に変換して、UL CALを行うためのキャリブレーション用のUL信号を発生させる送信機である。
【００４９】
送受信ベースバンド部２３は光トランシーバなどのインターフェース３１に接続される。そして、AAS１００は、インターフェース３１を介して外部のBeamforming機能内蔵Digital Part１０１と接続される。
【００５０】
また、制御部３０は、ＣＰＵ（Central Processing Unit；中央処理装置）を含み、AAS１００のハードウェアを制御し、ソフトウェア処理を行う。
【００５１】
次に、送受信ベースバンド部（TRX-Baseband）２３は、ベースバンドでキャリブレーションを行う機能を有しており、送受信機２２のそれぞれついて振幅および位相の補正を行う。
［動作の説明］
次に、本実施形態の動作について、図３乃至図５を参照して説明する。
【００５２】
尚、キャリブレーションにあたって、振幅、位相の補正値の求め方については、本発明の目的ではないため、説明を省略する。
【００５３】
図３は、3GPPで規定するＬＴＥ  ＴＤＤシステムのフレームフォーマットの例を示し、横軸は時間を示している。そして、上4段はAAS１００の動作を説明するチャートで、下4段は端末（UE）の動作を説明するチャートである。
【００５４】
尚、図４は理解のために、図３のフレームフォーマットで示したUL CALとDL CALの様子を、横軸を時間、縦軸をAASの送受信機２２の送信出力として示したものである。
【００５５】
図３において、「DL Timing」は、AASのSpecial Sub Frame（SSF）と前後のフレームの様子を示し、AASのDLタイミングを灰色で示している。
【００５６】
AASの「TX ON/OFF」は、送受信機２２の送信機が動作している時間を灰色で示している。
【００５７】
「UL Timing」は、UEのULタイミングを灰色で示している。
【００５８】
前述のDLタイミングのフレームフォーマットと、ULタイミングのフレームフォーマットを比較すると、DLタイミングはULタイミングより624×Tsだけ遅れている。Ts、およびDLのフレームタイミングとULのフレームタイミングのずれについては、背景技術の項の説明と同じである。
【００５９】
また、図３において、AASの「RX ON/OFF」は、送受信機２２の受信機が動作している時間を灰色で示している。
【００６０】
UEのチャートは、AASのチャートに準じてUEの動作を示したものであるので、説明を省略する。
【００６１】
本実施形態のAAS１００は、UL CALを先に実行して、次にDL CALを実行する。
【００６２】
UL CALとDL CALの前後を含む動作の概要を、図５を参照して説明する。尚、図５は説明のための動作の概要であり、詳細なタイミングは図３に示されている。
【００６３】
はじめに、AAS１００は、DLを実行中である（Ｓ１０１）。
【００６４】
ステップＳ１０１では、送受信機２２の送信機はONである。
【００６５】
次に、DLサブフレームが終了して、DLが停止する（Ｓ１０２）。
【００６６】
ステップＳ１０２に続いて、スペシャルサブフレームとなり、送受信機２２の送信機はOFFになる（Ｓ１０３）。
【００６７】
続いて、ULサブフレームとなり、送受信機２２の受信機がONになる（Ｓ１０４）。
【００６８】
送受信機２２は、UEから送信されるULデータの受信を開始する（Ｓ１０５）。
【００６９】
ULサブフレームが終了して、ULが停止する（Ｓ１０６）。
【００７０】
続いて、CAL送信機２９がONになる（Ｓ１０７）。
【００７１】
CAL送信機２９は、ULキャリブレーション用信号を送信する（Ｓ１０８）。
【００７２】
ULキャリブレーション用信号は、受信CAL Network部（CAL-RX Network）２７、アンプ２５を介して送受信機２２で受信される（Ｓ１０９）。
【００７３】
送受信機２２で受信されたULキャリブレーション用信号は、ベースバンド帯域の信号として送受信ベースバンド部２３に送出される。送受信ベースバンド部２３は、ULキャリブレーション用信号の情報に基づいて、全ての送受信機２２の受信信号の振幅と位相の周波数特性が同じになる様に、送受信ベースバンド部２３の中で、振幅と位相の補正値を求め、受信信号に乗算する。（Ｓ１１０）。
【００７４】
ステップＳ１１０に続いて、ステップＳ１１１では、送受信機２２は受信機をoffにする（Ｓ１１１）。
【００７５】
図３を参照すると、UL CALは、ULが終了してからDLが始まるまでの間、即ち624×Tsの間の、UL終了直後にUL CALを実行する。この様にすると、送受信機２２は、２フレーム前に送信を終了しているので、送受信機２２の送信機能は完全にoffになっている。そのため、送受信機２２の送信ローカルオシレータのリーク波が、送受信機２２で受信されることが無い。
【００７６】
ステップＳ１１０に続いて、UEのULが終了してからAAS１００のDLが始まるまでの間、即ち624×Tsの間の、DL開始直前にDL CALを実行する。
【００７７】
送受信機２２は送信機をONにする（Ｓ１１２）。
【００７８】
送受信機２２は、DLキャリブレーション用信号を送信する（Ｓ１１３）。
【００７９】
DLキャリブレーション用信号は、アンプ２５、送信CAL Network部（CAL-TX Network）２６を介してCAL受信機２８で受信される（Ｓ１１４）。
【００８０】
CAL受信機２８で受信されたDLキャリブレーション用信号は、ベースバンド帯域の信号として送受信ベースバンド部２３に送出される。送受信ベースバンド部２３は、DLキャリブレーション用信号の情報に基づいて、全ての送受信機２２の送信信号の振幅と位相の周波数特性が同じになる様に、送受信ベースバンド部２３の中で、振幅と位相の補正値を求め、送信信号に乗算する。（Ｓ１１５）。
【００８１】
ここで、CAL受信機２８は、CAL送信機２９と分離された回路であるため、UL CALの終了から、DL CALの開始までの間隔が短くても、UL CALの終了直後にCAL送信機２９のローカルオシレータのリーク波がCAL受信機２８に混入することはない。
【００８２】
ステップＳ１１５に続いて、DLサブフレームとなり、送受信機２２は、DL信号を送信する（Ｓ１１６）。
【００８３】
以上説明した様に、本実施形態のAAS１００は、キャリブレーションの際に送信機のリーク波が混入しないので、補正誤差を生じないキャリブレーションを実行可能になる。
【００８４】
以上、本発明の好適な実施形態を説明したが、上記実施形態に限定されるものではなく、次のように拡張または変形できる。
【００８５】
第１の実施形態または第２の実施形態に示されるアクティブアンテナシステムは、アクティブアンテナシステムを機能の一部とする通信機に用いられても良い。
【００８６】
また、本発明は、実施形態の機能を実現する情報処理プログラムが、システム或いは装置に直接或いは遠隔から供給される場合にも適用可能である。
【符号の説明】
【００８７】
１０  アクティブアンテナシステム
１１  アンテナ
１２  スイッチ
１３  送受信機
１４  キャリブレーション用受信機
１５  キャリブレーション用送信機
１６  制御部
２１  アンテナ
２２  送受信機
２３  送受信ベースバンド部
２４  スイッチ
２５  アンプ
２６  送信ＣＡＬ  Ｎｅｔｗｏｒｋ部（CAL-TX  Ｎｅｔｗｏｒｋ）
２７  受信ＣＡＬ  Ｎｅｔｗｏｒｋ部（CAL-RX  Ｎｅｔｗｏｒｋ）
２８  ＣＡＬ受信機
２９  ＣＡＬ送信機
３０  制御部
３１  インターフェース
３２  送受信機
３３  送受信ベースバンド部
３４  スイッチ
４１  アンテナ
４２  送受信機
４３  送受信ベースバンド部
４４  スイッチ
４５  アンプ
４６  キャリブレーションネットワーク部
４７  スイッチ
４８  ＣＡＬ送受信機
４９  インターフェース
１００  ＡＡＳ
１０１  Beamforming機能内蔵Digital Part
２００  ＡＡＳ
２０１  Beamforming機能内蔵Digital Part
【図１】
2019029934.tif 000003
【図２】
2019029934.tif 000004
【図３】
2019029934.tif 000005
【図４】
2019029934.tif 000006
【図５】
2019029934.tif 000007
【図６】
2019029934.tif 000008
【図７】
2019029934.tif 000009
【図８】
2019029934.tif 000010